(57)【要約】【課題】次工程の掘り取り作業に支障を来たすことなく、また効率よく次工程が行えるように茎葉刈取作業を行う茎葉刈取機を提供する。【解決手段】トラクタ装着部２と、トラクタからの動力により回転する進行方向と直交する水平方向の回転軸５０に放射状に複数の刈取り刃５１を揺動自在に設けた刈取り部５と、刈取り部５の後方左右に配設されたゲージ輪６と、刈取り部５の略中央部後方に配設され、茎葉が刈取られた地下部根菜の上方の一部を地表に露出させる為の排土板７とを有する茎葉刈取り機による。【選択図】      図２
2011087509.tif 000002
【特許請求の範囲】
【請求項１】
トラクタ後部に装着可能に設けた装着部と、トラクタからの動力により回転する進行方向と直交する水平方向の回転軸に放射状に複数の刈取り刃を揺動自在に設けた刈取り部と、該茎葉刈取り部の後方左右に配設されたゲージ輪と、前記茎葉刈取り部の略中央部後方に配設され、地上部茎葉が刈取られた地下部根菜の上方の一部を地表に露出させる為の排土板とを有する茎葉刈取り機。
【請求項２】
排土板は、前方部が進行方向に略直行する方向の前方排土面部を有し、その左右端からそれぞれ後方外側に向け平面視略左右対象に延設した側方排土面部を有することを特徴とした請求項１記載の茎葉刈取り機。
【請求項３】
排土板は、ゲージ輪の取付けフレームに上下調節自在に設けられていて、前方排土面下方端が刈取り部の刈取り刃回転軌跡外周下端より下方側に調整可能であることを特徴とした請求項１または請求項２記載の茎葉刈取り機。
【発明の詳細な説明】
【技術分野】
【０００１】
本発明は、ごぼう等の根菜類の掘り取り前に、地上部の茎葉部を刈取り処理するトラクタに装着されて使用される農業用機械に関する。
【背景技術】
【０００２】
この種の刈取り装置の従来技術として実開昭５４−６８７２５号公報（従来技術１）または、実開昭５６−１３６５２４号公報(従来技術２)が開示されている。
【０００３】
実開昭５４−６８７２５号公報（従来技術１）には、「推進車輪と安定車輪との間に、回転車を軸架し、取付金具を介して切断刃を枢着し、しかして切断刃の回転軌跡外周の前方下方より後上傾斜状の案内杆を安定車輪の上下動に連動したことを特徴とする刈取装置」の開示がされている。
【０００４】
また、実開昭５６−１３６５２４号公報(従来技術２)には、「機枠と、この機枠に回動自在に軸架された刈取爪群と、この刈取爪群の進行方向の両側部に位置して上記機枠に支架された機体と、上記機枠の進行方向の両側部に高さ調整自在に支架された接地輪とを具備したことを特徴とする草刈機」の開示がされている。
【先行技術文献】
【特許文献】
【０００５】
【特許文献１】実開昭５４−６８７２５号公報（従来技術１）
【特許文献２】実開昭５６−１３６５２４号公報(従来技術２)
【発明の概要】
【発明が解決しようとする課題】
【０００６】
ごぼう等の根菜を掘り取る際に、地上部の茎葉部が邪魔して掘り取り作業に支障がでるとともに、掘り取り後の出荷調整作業等に支障がでるため、掘り取り作業前に茎葉部を刈取って処分していた。刈取作業は草刈りカッターやフレールモア等で行われるようになってきたが、刈取りは地表と同一かそれよりも下方の部分で茎葉部の切断が行われるため、刈取後は地下部の根菜の植付けられた位置がわかりにくくなり、さらに、刈取られた茎葉が被せられていくため、次工程の掘り取り作業に支障をきたす問題がある。
【０００７】
従来技術１に開示される「つる等の刈取装置」や従来技術２に開示される「草刈機」は、刈取作業後の地下部の根菜の植付け位置が容易に解るような作業ができる構成とはなっていない。
【０００８】
このため本発明の目的は、次工程の掘り取り作業に支障を来たすことなく茎葉刈取作業が効率よく行える茎葉刈取機を提供することを目的とする。
【課題を解決するための手段】
【０００９】
上記課題を解決するために、トラクタ後部に装着可能に設けた装着部と、トラクタからの動力により回転する進行方向と直交する水平方向の回転軸に放射状に複数の刈取り刃を揺動自在に設けた刈取り部と、該茎葉刈取り部の後方左右に配設されたゲージ輪と、前記茎葉刈取り部の略中央部後方に配設され、地上部茎葉が刈取られた地下部根菜の上方の一部を地表に露出させる為の排土板とを有する茎葉刈取り機を提案する。
【００１０】
また、排土板は、前方部が進行方向に略直行する方向の前方排土面部を有し、その左右端からそれぞれ後方外側に向け平面視略左右対象に延設した側方排土面部を有することを特徴とした０００９欄記載の茎葉刈取り機を提案する。
【００１１】
さらに、排土板は、ゲージ輪の取付けフレームに上下調節自在に設けられていて、前方排土面下方端が刈取り部の刈取り刃回転軌跡外周下端より下方側に調整可能であることを特徴とした０００９欄または００１０欄記載の茎葉刈取り機を提案する。
【発明の効果】
【００１２】
この発明によれば、トラクタからの動力により回転する進行方向と直交する水平方向の回転軸に放射状に複数の刈取り刃を揺動自在に設けた刈取り部により地上部の茎葉部を刈取るとともに揺動する刈取り刃により破砕していく為、茎葉が細かく切断破砕されて圃場に散らばる為、茎葉部の根元部のみを切断して刈取ると大量の茎葉の除去作業が必要となるが、この作業により刈取り後の茎葉の除去作業が不要となる。茎葉刈取り部の後方左右に配設されたゲージ輪により、刈取り高さを一定に保持可能である為、茎葉部の長さを一定にそろえて切断可能となる。
【００１３】
また、茎葉刈取り部の略中央部後方に配設され、茎葉が刈取られた地下部根菜の上方の一部を地表に露出させる為の排土板が設けられていることにより、刈取られた茎葉を除去するとともに根菜頭部分を地上に露出させ茎葉刈取り後の根菜の植付け位置が容易に確認できるようになり、根菜頭部分に不要な土の盛り上がりが無くなり掘り取り作業時の引抜き作業が容易となり、効率よく後工程の掘り取り作業ができる。
【００１４】
さらに、例えば前方部が鋭角状の角部を有する逆Ｖ字状の排土板の場合、先端角部により根菜に傷をつけたり、先端角部の地面への食い込みにより走行抵抗が作用してトラクタの直線走行ができ難い場合がある。これに対し、排土板は、前方部が進行方向に略直行する方向の前方排土面部を有し、その左右端からそれぞれ後方外側に向け平面視略左右対象に延設した側方排土面部を有する構造により、トラクタの進行が安定するとともに、必ずしも直線となっていない植付け条の根菜頭部の土の除去が確実に行え根菜に傷をつける等の不具合も無く茎葉刈取り作業が容易にできる。
【図面の簡単な説明】
【００１５】
【図１】本発明を実施した茎葉刈取り機の側面図
【図２】本発明を実施した茎葉刈取り機の後方からの斜視図
【図３】本発明を実施した茎葉刈取り機の平面図
【図４】本発明を実施した茎葉刈取り機の底面図
【図５】根菜の茎葉刈取り状態を示した説明図
【図６】本発明の別実施例の茎葉刈取り機の平面図
【発明を実施するための形態】
【００１６】
以下、本発明の実施例を以下の図面に基づいて説明する。図１は本発明を実施した茎葉刈取り機の側面図、図２は同じく茎葉刈取り機の後方からの斜視図、図３は同じく茎葉刈取り機の平面図、図４は同じく茎葉刈取り機の底面図、図５は根菜の茎葉刈取り状態を示した説明図、図６は本発明の別実施例の茎葉刈取り機の平面図を示したものである。
【００１７】
本例に示す茎葉刈取り機１は、図示していないトラクタの後方に設けた装着部に装着され、トラクタからの動力により刈取り部を駆動して使用されるものである。トラクタの後方に設けた左右一対のロワーリンクとその中央上方に設けたトップリンクとからなる３点リンクヒッチ機構に、茎葉刈取り機１の前方下方左右に設けたロワーリンクピン２０と前記ロワーリンクと、同じく前方上方部に設けたトップマスト２２前方先端部のトップリンクピン２１と前記トップリンクとを連結させ装着する。装着は３点リンク機構にこれらを定型化する連結枠（クイックカプラー又はオートヒッチと称される）を取り付けて、これを介して装着する方法もある。
【００１８】
茎葉刈取り機１は、前記ロワーリンクピン２０とトップマスト２２およびこの前方先端部のトップリンクピン２１で構成される装着部２を前方に配設するとともに、前方に向け突設させた入力軸３０が前方中央部に設けられていて、該入力軸３０と図示していないトラクタＰＴＯ軸とユニバーサルジョイント等により連結して動力を取出し駆動される。
【００１９】
入力軸３０は内部にベベルギヤを設けたベベルギヤケース３により保持されていて、ベベルギヤケース３の下方には茎葉を刈取り破砕する刈取り部５が配設され、その後方中央部に茎葉が刈取られた地下部根菜の上方の一部を地表に露出させる為の排土板７が、また、その左右には刈取り部５の地上高さを調節するゲージ輪６が設けられている。
【００２０】
前記入力軸３０を前方に突設保持して内部のベベルギヤにより進行方向左右方向に回転動力を変換及び変速するベベルギヤケース３は、左右方向にパイプ状のフレームを固着延設させていて、左右一方のパイプ状フレーム内に設けた出力軸により動力を側方端側に伝達する。前記ベベルギヤケース３と反対側の側方端部の出力軸先端にはベルト用プーリが固着されていて、また、その下方に前記刈取り部５の回転軸５０の端部に固着された入力プーリが設けられていて、これらのプーリに掛け渡された伝動ベルトにより出力軸で伝達された動力は刈取り部５の回転軸５０に伝達され回転駆動する。側方のプーリ及び伝動ベルト部はベルトカバー４により覆われてガードされている。
【００２１】
刈取り部５は、トラクタ進行方向と直交する水平方向の回転軸５０に放射状に複数の刈取り刃５１を揺動自在に設け、これを回転軸５０の上方を通過して前方から後方に掬い上げるように回転させ、茎葉を刈取りするとともに破砕する。刈取り刃５１回転軌跡外周上方部は、刈取り部カバー５２で覆われていて、切断された茎葉の飛散を防止するとともに刈取られた茎葉の一部を回転軸５０周りに持ち回らせてさらに細かく破砕するように設けられている。
【００２２】
刈取り部５後方左右にはゲージ輪６が設けられていて、刈取り部５上方のフレームから後方に延設したフレームに上下方向回動自在に連結されたゲージ輪取付けフレーム６３に取り付けられている。ゲージ輪取付けフレーム６３は、ゲージ輪６を左右に位置させるための左右水平方向に設けた角パイプ状の水平フレーム６３０と、水平フレーム６３０から前方に延設した左右の回動アーム６３１と、水平フレーム６３０中間部とベベルギヤケース上方に延設して固着されたフレーム上方端部とそれぞれ回動自在に連結された伸縮ロッド６３２と、伸縮ロッド６３２を伸縮させる為のハンドル６３３とで構成されている。
【００２３】
回動アーム６３１前方端は、刈取り部５上方のフレームから後方に延設したフレームに水平方向の回動軸６４により上下方向回動自在に連結されていて、水平フレーム６３０と前方のフレームに連結された伸縮ロッド６３２を伸縮することにより、回動アーム６３１の回動端側の水平フレーム６３０は上下に回動する。回動することにより、水平フレーム６３０に取り付けられたゲージ輪６は、刈取り部５に対し上下に回動し高さが調整される。
【００２４】
伸縮ロッド６３２は、内部にメスねじ部とこれに螺入するオスねじのシャフトとを設けてあり、オスねじのシャフトに固着されたフレーム側前端部のハンドル６３３を回転させると軸方向に伸縮させることができる。
【００２５】
前記水平フレーム６３０左右には、これに対し左右スライド及び固定自在に設けたスライドホルダー６２がそれぞれ設けられていて、スライドホルダー６２には上下方向取り付け位置調節自在であり下方部にゲージ輪６を水平方向に回動させる水平回動軸６００を保持するボス６１０を有する上下調節アーム６１が設けられ、さらに上下調節アーム６１には上下調節アーム６１のボス６１０に挿入される水平回動軸６００を有して水平回動軸６００の回転中心からオフセットした位置に中心を有する水平方向のゲージ輪回転軸６０１を設けたキャスターフレーム６０が水平回動軸６００を挿入して水平回動自在に取付けられている。ゲージ輪６は、ゲージ輪回転軸６０１によりキャスターフレーム６０に回転自在に保持される。
【００２６】
スライドホルダー６２は、角パイプ状の水平フレーム６３０に挿入される矩形部を有し、矩形部を締め付けねじにより緊縮させ水平フレーム６３０に圧着して固定可能で、締め付けねじを緩めることでスライド自在となり、左右位置を調整できる。
【００２７】
上下調節アーム６１は、上下方向に取付け孔が多数設けられていて、この孔を選択して取り付けることにより上下の調節が可能で、前記伸縮ロッド６３２により調節する上下範囲からさらに調節が可能である。
【００２８】
刈取り部５の略中央部後方には、茎葉が刈取られた地下部根菜Ａの上方の一部を地表に露出させる為の排土板７が設けられていて、水平フレーム６３０の中央部に上下調節可能に取り付けられている。排土板７は、前方部が作業進行方向に略直行する方向の垂直方向面を有する前方排土面部７０を有し、その左右端からそれぞれ後方外側に向け平面視略左右対象に延設した側方排土面部７１，７１を有し、トラクタが進行することにより茎葉部が刈取られた後の根菜植付け条の根菜頭部分の土と刈取られた茎葉を植付け条側方に除去して根菜頭部を地表に露出させる。
【００２９】
前方排土面部７０は、上方部がやや前方に向け傾斜または曲折していて、側方排土面部７１，７１は上方部がやや側方に向け傾斜または曲折して設けられている。前方排土面部７０後方中央部には、角パイプで構成された保持アーム７２が前方排土面部７０から上方に向け垂設して固着され、水平フレーム６３０に取り付けられた保持ホルダー７３の保持部に上下移動自在に取り付けられている。保持ホルダー７３の保持部は、保持アーム７２が挿入可能な角パイプ状となっていて、水平方向の貫通孔が設けられ、保持アーム７２の上下方向に多数設けられた水平方向の貫通孔を選択して重合させ固定ピンを差し込んで上下位置を調整する。
【００３０】
図５の（ａ）は、刈取り部５で根菜の茎葉部を刈取りした状態を示したもので、地表面Ｇから根菜の上方部が出ていないため、根菜の位置が地上から確認しにくい状態となっている。一方、（ｂ）は刈取り部５で根菜の茎葉部を刈取りした後に排土板７で根菜頭部分Ｂの土を側方に除去した状態を示したもので、刈取られた後の地表面に有る刈取られた茎葉とともに土を除去することにより根菜頭部分Ｂを地上に露出させ茎葉刈取り後の根菜の植付け位置が容易に確認できるようになり、根菜頭部分Ｂに不要な土の盛り上がりが無くなり掘り取り作業時の引抜き作業が容易となり効率よく後工程の掘り取り作業ができる。排土板７の土除去深さは、ゲージ輪６の上下位置や排土板７の保持アーム７２の上下調節で任意に設定できる。
【００３１】
図６は本発明の排土板の別実施例の平面図を示したもので、排土板７ａは、平面部を前方側に向けた直線状の板状体に構成されていて、左右一方端が他方端より後方に位置する平面視斜め状態に設けられている。トラクタが前進することにより、前方の刈取り部５により茎葉部が刈取りされた根菜植付け条の根菜部分の土や刈取り後の茎葉を排土板７ａの前後方向の斜面に沿わせて前方から後方且つ左右一方向に移動させ除去させるものである。
【００３２】
次にこの発明の茎葉刈取り装置の作動について説明する。茎葉刈取り機１の前方部に設けた装着部２によりトラクタに装着し、茎葉刈取り機１の前方側中央部に設けた入力軸３０をトラクタＰＴＯ軸からの動力により回転駆動し、入力軸３０を前方に突設して設けたベベルギヤケース３の内部のベベルギヤにより入力軸３０の動力は進行方向左右一方向に回転動力を変換及び変速して伝動され、パイプフレーム３１内に設けた出力軸により動力を側方端側に伝達する。ベベルギヤケース３と反対側の側方端部の出力軸先端にはベルト用プーリが固着されていて、また、その下方に前記刈取り部５の回転軸５０の端部に固着された入力プーリが設けられていて、これらのプーリに掛け渡された伝動ベルトにより出力軸により伝達された動力は刈取り部５の回転軸５０に伝達され回転駆動する。回転軸５０には放射状に複数の刈取り刃５１が揺動自在に設けられていて、これを切断された茎葉が回転軸５０の上方を通過して前方から後方に掬い上げるように回転させ、トラクタの進行により茎葉を刈取りするとともに破砕させる。刈取り刃５１回転軌跡外周上方部は、刈取り部カバー５２で覆われていて、切断された茎葉の飛散を防止するとともに刈取られた茎葉の一部を刈取り刃５１の掬い面の作用により回転軸５０周りに持ち回らせてさらに細かく破砕させる。
【００３３】
刈取り部５の地上高さは、刈取り部５の後方左右に設けたゲージ輪６の高さを調節することで任意に設定可能で、茎葉刈取り機１の中央部上方部に設けた伸縮ロッド６３２の長さをその前方端に設けたハンドル６３３を回転させて伸縮させ調整する。また、刈取り部５の後方中央部には排土板７が設けられていて、トラクタが根菜植付け条を跨いで中央部を走行することで、茎葉が刈取り破砕された直後の根菜頭部分Ｂの刈取られた茎葉を除去するとともに土を除去して根菜頭部分Ｂを地上に露出させ茎葉刈取り後の根菜の植付け位置が容易に確認できるようにする。また、根菜頭部分Ｂに不要な土の盛り上がりが無くなり掘り取り作業時の引抜き作業が容易となり、効率よく後工程の掘り取り作業ができる。
【産業上の利用可能性】
【００３４】
この発明は、トラクタ等の走行機後方に装着されて使用される根菜類の掘り取り前の茎葉を刈取り処理するための農業用機械に利用される。
【符号の説明】
【００３５】
１    茎葉刈取り機
２    装着部
２０  ロワーリンクピン
２１  トップリンクピン
２２  トップマスト
３    ベベルギヤケース
３０  入力軸
３１  パイプフレーム
４    ベルトカバー
５    刈取り部
５０  回転軸
５１  刈取り刃
５２  刈取り部カバー
６    ゲージ輪
６０  キャスターフレーム
６００  水平回動軸
６０１ゲージ輪回転軸
６１  上下調節アーム
６１０  ボス
６２  スライドホルダー
６３  ゲージ輪取付フレーム
６３０  水平フレーム
６３１  回動アーム
６３２  伸縮ロッド
６３３  ハンドル
６４  回動軸
７    排土板
７０  前方排土面部
７１  側方排土面部
７２  保持アーム
７３  保持ホルダー
７ａ  排土板
【図１】
2011087509.tif 000003
【図２】
2011087509.tif 000004
【図３】
2011087509.tif 000005
【図４】
2011087509.tif 000006
【図５】
2011087509.tif 000007
【図６】
2011087509.tif 000008